(57)【要約】      （修正有）【課題】常時、自動で、所望量だけ水をためることができる鍋洗浄用の貯水容器を提供する。【解決手段】貯水容器と、この貯水容器に設けた、貯水容器内に所望量の水を供給する自閉水栓と、自閉水栓に水を供給する水供給管とよりなる。【選択図】図１
0003172638.tif 000002
【実用新案登録請求の範囲】
【請求項１】
貯水容器と、
この貯水容器に設けた、上記貯水容器内に所望量の水を供給する自閉水栓と、
上記自閉水栓に水を供給する水供給管とよりなることを特徴とする鍋洗浄用の貯水容器。
【請求項２】
貯水容器と、
この貯水容器に設けた、上記貯水容器内に所望量の水を供給する自閉水栓と、
上記貯水容器に設けた、上記貯水容器内の水が常時、所望量貯まるように、上記貯水容器内に水を供給する自動給水装置と、
上記自動給水装置と上記自閉水栓とにそれぞれ水を供給する水供給管とよりなることを特徴とする鍋洗浄用の貯水容器。
【請求項３】
上記自動給水装置に上記自閉水栓が接続され、上記自閉水栓に上記自動給水装置を介して上記水供給管からの水を供給するようにしたことを特徴とする請求項２記載の鍋洗浄用の貯水容器。
【請求項４】
上記自動給水装置のボールタップ本体の天井部には、上下動するスピンドルが貫通する貫通穴と、貫通するスピンドルをカバーする円筒状のスピンドルカバーが設けられると共に、上記スピンドルカバーの内側の上記ボールタップ本体の天井部に通水用の貫通孔を設け、
上記円筒状のスピンドルカバーの外周面に設けたネジ部に、上記自閉水栓の円筒状の給水口部の内周面に設けたネジ孔部を螺合して接続することにより、上記自動給水装置に上記自閉水栓を接続したことを特徴とする請求項３記載の鍋洗浄用の貯水容器。
【考案の詳細な説明】
【技術分野】
【０００１】
本考案は、鍋洗浄用の貯水容器、特に、飲食店における調理場などで、調理に使われた中華鍋等を簡単に洗うための水を貯めておく容器に関するものである。
【背景技術】
【０００２】
飲食店における調理場では、スペース、経済性、迅速性などからの理由で、多種類の料理を一つの中華鍋で作ることが多い。そのため、次の料理に移る前に、簡単に中華鍋を洗う必要がある。この中華鍋の洗浄は、水を貯めた容器から、お玉で水をすくい、その水を中華鍋に入れて、かき混ぜて、中華鍋に残った料理を水と共に捨てる事によっておこなわれる。
【０００３】
そして、上記容器は、常に水が貯まっていることが必要であるが、忙しい調理人にとって、蛇口の開け閉めは、調理の効率上好ましくないので、上記容器を蛇口の下において、常時、水を流しっぱなしにしているのが現状である。
【考案の概要】
【考案が解決しようとする課題】
【０００４】
しかしながら、水の出しっぱなしは経済性良くなく、例えば、中規模の中華料理屋であっても、１ヶ月の水道代が水の出しっぱなしにより約８，０００円も余計にかかってしまうという欠点があった。
【０００５】
本考案は、貯水容器内に水が常時、自動で所望量だけ貯まるようにすることにより、水を節約すると共に、鍋の洗浄の妨げになる、容器内に貯まった不要な油を簡単に取り去ることができ、しかも、鍋洗浄用のみではなく、調理用の綺麗な水も簡単に得ることができる鍋洗浄用の貯水容器に関するものである。
【課題を解決するための手段】
【０００６】
本考案の鍋洗浄用の貯水容器は、貯水容器と、この貯水容器に設けた、上記貯水容器内に所望量の水を供給する自閉水栓と、上記自閉水栓に水を供給する水供給管とよりなることを特徴とする。
【０００７】
また、本考案の鍋洗浄用の貯水容器は、貯水容器と、この貯水容器に設けた、上記貯水容器内に所望量の水を供給する自閉水栓と、上記貯水容器に設けた、上記貯水容器内の水が常時、所望量貯まるように、上記貯水容器内に水を供給する自動給水装置と、上記自動給水装置と上記自閉水栓とにそれぞれ水を供給する水供給管とよりなることを特徴とする。
【０００８】
また、上記自動給水装置に上記自閉水栓が接続され、上記自閉水栓に上記自動給水装置を介して上記水供給管からの水を供給するようにしたことを特徴とする。
【０００９】
また、上記自動給水装置のボールタップ本体の天井部には、上下動するスピンドルが貫通する貫通穴と、貫通するスピンドルをカバーする円筒状のスピンドルカバーが設けられると共に、上記スピンドルカバーの内側の上記ボールタップ本体の天井部に通水用の貫通孔を設け、上記円筒状のスピンドルカバーの外周面に設けたネジ部に、上記自閉水栓の円筒状の給水口部の内周面に設けたネジ孔部を螺合して接続することにより、上記自動給水装置に上記自閉水栓を接続したことを特徴とする。
【考案の効果】
【００１０】
本考案の鍋洗浄用の貯水容器によれば、中規模の中華料理屋であれば、１ヵ月に約８，０００円も水道代を節約することができると共に、容器内に貯まってしまった不要な油を簡単に取り去ることができ、しかも、鍋洗浄用のみではなく、調理用の綺麗な水も簡単に得ることができる大きな利益がある。
【図面の簡単な説明】
【００１１】
【図１】本考案の鍋洗浄用の貯水容器の説明用縦断側面図である。
【図２】本考案の鍋洗浄用の貯水容器の説明用平面図である。
【図３】本考案の鍋洗浄用の貯水容器の自動給水装置の使用状態を説明する拡大概略図である。
【図４】本考案の鍋洗浄用の貯水容器の自動給水装置の使用状態を説明する拡大概略図である。
【図５】本考案の鍋洗浄用の貯水容器の他の実施例の説明用縦断側面図である。
【図６】本考案の鍋洗浄用の貯水容器の他の実施例の自動給水装置の要部の拡大概略図である。
【図７】本考案の鍋洗浄用の貯水容器の他の実施例の自動給水装置の要部の拡大概略図である。
【図８】本考案の鍋洗浄用の貯水容器の更に他の実施例の説明用縦断側面図である。
【考案を実施するための形態】
【００１２】
以下、図面によって本考案の実施例を説明する。
【実施例１】
【００１３】
図１及び図２は、本考案の鍋洗浄用の貯水容器を示し、１は、貯水容器を示し、この貯水容器１は、例えば、縦横２３０ｍｍ、高さ１５０ｍｍのステンレス製の上部が開口した箱状の容器である。
【００１４】
なお、上記貯水容器１の形状は箱状である以外に、三角形状、円形状であってもよく、狭い厨房内にコンパクトに配置できる形状であれば良い。
【００１５】
２は、自閉水栓を示し、この自閉水栓２は、上記貯水容器１の上部に固定され、上記自閉水栓２の排水ボタン３を押す事により、所望量の水が排水口部４から排出される。そして、上記押された排水ボタン３はバネ等（図示せず）により元の位置に復元して、再度、上記排水ボタン３を押せば、同様に、所望量の水が排水口部４から排出されるようになる。
【００１６】
なお、５は、上記自閉水栓２の給水口部である。
【００１７】
６は、自動給水装置を示し、この自動給水装置６は、図１及び図３に示すように、給水口部７と排水口部８と上記給水口部７と上記排水口部８とを連結する水路部９とよりなるボールタップ本体１０と、上記貯水容器１内の水の量に応答して上下する浮き部１１と、上記浮き部１１の動きに応答して上記水路部９を塞ぐ栓機構部１２とよりなる。
【００１８】
そして、上記浮き部１１が所望量の位置だけ上方に位置する場合には、上記栓機構部１２のスピンドル１３の鍔部１４が上記水路部９を塞ぎ、これにより上記排水口部８から水が排出されず、また、上記浮き部１１が上方位置から下方に沈んで、上記栓機構部１２の傾動杆１５が傾動して、上記スピンドル１３の鍔部１４が上記水路部９から離れれば、図４に示すように、上記水路部９が通水して、上記排水口部８から水が排水されるようになる。
【００１９】
なお、１６は、上記鍔部１４に設けたパッキンであり、１７は、上記傾動杆１５を上記ボールタップ本体１０に対して傾動自在に枢支した枢支ピンであり、１８は、上記スピンドル１３の下端と上記傾動杆１５とを傾動自在に枢支した枢支ピンを示す。
【００２０】
また、１９は、上記ボールタップ本体の天井部を貫通して上下動する上記スピンドル１３の貫通穴、２０は、上記ボールタップ本体の天井部に設けた、突出した上記スピンドル１３をカバーする円筒状のスピンドルカバーを示す。
【００２１】
２１は、水供給管を示し、この水供給管２１の一端は下記に説明する固定板２３に固定され、他端は上記自閉水栓２及び自動給水装置６に、分岐管２２を介して接続され、上記水供給管２１の一端に供給された水は上記自閉水栓２及び自動給水装置６に供給されるようになる。
【００２２】
また、２５は、水源からの水を上記水供給管２１に供給する給水管を示し、この給水管２５の先端に一方の接続金具２６を設けると共に、上記水供給管２１の一端に、上記一方の接続金具２６に接続される他方の接続金具２７を設けて、上記給水管２５と上記水供給管２１とを脱着自在に接続できるようにした。
【００２３】
２３は、固定板を示し、この固定板２３は、上記貯水容器１の上部に脱着自在に固定された断面コ字状の板であり、この固定体２３に、上記自閉水栓２、水供給管２１が固定されている。
【００２４】
なお、上記給水管２５の一方の接続金具２６から、上記水供給管２１の他方の接続金具を取り外せば、本考案の鍋洗浄用の貯水容器の移動が可能となり、また、上記固定板２３を上記貯水容器１から取り外せば、貯水容器１のみを取り外すことができ、貯水容器１の洗浄が容易となる。
【００２５】
また、貯水容器１の高さ調整のために、上記貯水容器１の下に台を設けるようにしてもよい。
【００２６】
本考案の鍋洗浄用の貯水容器は上記のような構成であるから、上記貯水容器１内の水が少ない場合には、上記自動給水装置６の浮き部１１が下方に下がっているから、上記自動給水装置６の排水口部８から上記貯水容器１内に水が供給され、上記貯水容器１に水が貯まるようになる。
【００２７】
そして、上記貯水容器１内に所望量の水が貯まると、上記浮き部１１が所望量だけ上方に位置するので、上記排水口部８からの水の供給が止まるようになる。
【００２８】
従って、お玉で上記貯水容器１内の水をすくって、水が減れば、上記浮き部１１が下がるので、水が自動的に供給され、上記貯水容器１内に所望量の水が貯まれば、水の供給が止まり、これを繰り返すことにより、常時、所望量の水が上記貯水容器１内に貯まるようになる。
【００２９】
これにより、必要な分だけ水が供給されるようになるので、水の無駄を防止し、コスト低減を図ることができるようになる。
【００３０】
また、次の料理に移る毎に、お玉で上記貯水容器内の水をすくう度に、お玉についていた油が徐々に上記貯水容器１内に貯まるようになる。この油は、鍋の洗浄を妨げるものであるから、上記貯水容器内の水の上部に油がたまってきた場合には、上記自閉水栓２の排水ボタンを押して、上記貯水容器内に水を供給し、上記貯水容器内の上部の水があふれるようにして、油を外部に排出するようにする。
【００３１】
また、上記自閉水栓２の排水ボタン３を押せば、上記排水口部４から綺麗な水を得ることができるので、お玉一杯分のスープなどに必要な水を容易に得ることができるようになる。
【００３２】
本考案の鍋洗浄用の貯水容器によれば、水を節約することができると共に、容器内に貯まってしまった不要な油を簡単に取り去ることができ、しかも、鍋洗浄用のみではなく、調理用の綺麗な水も簡単に得ることができる大きな利益がある。
【実施例２】
【００３３】
本考案の第２の実施例においては、図５〜図７に示すように、第１の実施例において分岐管２２を用いずに、自動給水装置６の給水口部７と水供給管２１とを連結すると共に、上記自動給水装置６のボールタップ本体１０の天井部のスピンドルカバー２０に自閉水栓２の給水口部５を接続すると共に、上記スピンドルカバー２０の内側の上記ボールタップ本体１０の天井に通水用の貫通孔２４を設ける。
【００３４】
なお、上記スピンドルカバー２０と上記自閉水栓２の給水口部５との接続は、例えば、上記スピンドルカバー２０の外周面にネジ部を設けると共に、円筒状の給水口部５の内周面に、上記ネジ部に螺合可能なネジ孔部を形成して、上記スピンドルカバー２０に上記給水口部５を螺合するようにする。
【００３５】
この第２の実施例によれば、上記自閉水栓２が自動給水装置６を介して水供給管２１に接続され、水供給管２１からの水が上記自閉水栓２に供給される。そして、上記ボールタップ本体１０の天井部に設けられたスピンドルカバー２０を利用して、上記自閉水栓２の給水口部５を固定させることにより、装置全体の大きさをコンパクトにすることができるようになる。
【実施例３】
【００３６】
本考案の第３の実施例においては、図８に示すように、実施例１における自動給水装置を省略し、水供給管２１と自閉水栓２とを直接接続するようにしてもよい。
【００３７】
こ場合には、貯水容器内の水が減った場合や、油を取り除きたい場合や、新しい水を得たいような場合には、上記自閉水栓２の排水ボタン３を押すようにすればよい。
【実施例４】
【００３８】
本考案の第４の実施例においては、実施例１における自閉水栓２を省略し、水供給管２１と自動給水装置６を直接接続するようにする。
【００３９】
この場合には、油の除去等はできないが、水の節約をすることができるようになる。
【符号の説明】
【００４０】
１    貯水容器
２    自閉水栓
３    排水ボタン
４    排水口部
５    給水口部
６    自動給水装置
７    給水口部
８    排水口部
９    水路部
１０    ボールタップ本体
１１    浮き部
１２    栓機構部
１３    スピンドル
１４    鍔部
１５    傾動杆
１６    パッキン
１７    枢支ピン
１８    枢支ピン
１９    貫通穴
２０    スピンドルカバー
２１    水供給管
２２    分岐管
２３    固定板
２４    貫通孔
２５    給水管
２６    一方の接続金具
２７    他方の接続金具
【図１】
0003172638.tif 000003
【図２】
0003172638.tif 000004
【図３】
0003172638.tif 000005
【図４】
0003172638.tif 000006
【図５】
0003172638.tif 000007
【図６】
0003172638.tif 000008
【図７】
0003172638.tif 000009
【図８】
0003172638.tif 000010